(57)【要約】【課題】  特に、傷を付けてはいけない箇所、あるいは尖端部２２が食い込みにくい箇所等に、三脚を安定的に立てておくことができるようにする。【解決手段】  種々の機器を搭載するための基台１と、この基台１に対して開閉脚可能に設けた３本の脚Ｌとを備えている。そして、この脚Ｌは、３本のメイン脚部２と、このメイン脚部２に対して出入可能にした調整脚部３と、この調整脚部３に設けた位置決め手段Ｐとからなり、上記メイン脚部２に対する調整脚部３の出入長さに応じて、脚全体の長さを調整できる構造にしている。さらに、上記位置決め手段Ｐは、調整脚部３に対して回動可能にした接地面２０を有し、この接地面２０に滑り止め部２１を設けている。【選択図】  図１
2005048898.tif 000002
【特許請求の範囲】
【請求項１】
種々の機器を搭載するための基台と、この基台に対して開閉脚可能に設けた３本の脚とを備え、かつ、この脚は、３本のメイン脚部と、このメイン脚部に対して出入可能にした調整脚部と、この調整脚部に設けた位置決め手段とからなり、上記メイン脚部に対する調整脚部の出入長さに応じて、脚全体の長さを調整できる構造にした三脚において、上記位置決め手段は、調整脚部に対して回動可能にした接地面を有し、この接地面に滑り止め部を設けたことを特徴とする三脚。
【請求項２】
上記位置決め手段は、調整脚部側に取り付ける取り付け部と、この取り付け部に回動可能に取り付ける回動片とを備え、この回動片に接地面を設けた請求項１記載の三脚。
【請求項３】
取り付け部と回動片との連結部分は、それら取り付け部と回動片とのいずれか一方にはめ込み凹部を設け、いずれか他方にはめ込み凸部を設けるとともに、はめ込み凹部とはめ込み凸部との接触面に、回動片の回動位置を保つための位置保持用凹凸を設け、しかも、上記凹部および凸部の接触面を圧接させるためのバネ構造を備えた請求項２記載の三脚。
【請求項４】
上記調整脚部に対して着脱可能にした２種の位置決め手段を備え、一方の位置決め手段には上記接地面を設け、他方の位置決め手段にはその先端に尖端部を設け、これら両位置決め手段を取り替え可能にした請求項１〜３のいずれかに記載の三脚。
【発明の詳細な説明】
【技術分野】
【０００１】
この発明は、レベル測定器、カメラあるいはキャンパスなどをのせるための三脚に関する。
【背景技術】
【０００２】
本来、三脚の最大の使命は、それにのせた機器の位置を正確かつ安定的に保つことである。そのために、従来は、各脚の先端に、先が尖った尖端部を設け、この尖端部を当該三脚を立てる場所に少し食い込ませるようにしていた。
【０００３】
【特許文献１】特開平８−０１４９０２号公報
【発明の開示】
【発明が解決しようとする課題】
【０００４】
上記のようにした従来の三脚では、上記尖端部が設置箇所に食い込むので、それを取り除いた後にも、食い込み跡が残ってしまう。そのために、室内、特に、床面に傷を付けてはいけないような場所で使えないという問題があった。
また、堅く平坦な床面などでは、上記尖端部を食い込ませることができず、そのために、当該三脚を安定的に立てておくことができないという問題もあった。
この発明の目的は、立てる箇所に傷を付けず、しかも、堅く平坦な面にも安定的に立てておける三脚を提供することである。
【課題を解決するための手段】
【０００５】
この発明は、種々の機器を搭載するための基台と、この基台に対して開閉脚可能に設けた３本の脚とを備え、かつ、この脚は、３本のメイン脚部と、このメイン脚部に対して出入可能にした調整脚部と、この調整脚部に設けた位置決め手段とからなり、上記メイン脚部に対する調整脚部の出入長さに応じて、脚全体の長さを調整できる構造にした三脚を前提にするものである。
【０００６】
上記の三脚を前提にしつつ、第１の発明は、位置決め手段が、調整脚部に対して回動可能にした接地面を有し、この接地面に滑り止め部を設けた点に特徴を有する。
【０００７】
第２の発明は、位置決め手段が、調整脚部側に取り付ける取り付け部と、この取り付け部に回動可能に取り付ける回動片とを備え、この回動片に接地面を設けた点に特徴を有する。
【０００８】
第３の発明は、取り付け部と回動片との連結部分は、それら取り付け部と回動片とのいずれか一方にはめ込み凹部を設け、いずれか他方にはめ込み凸部を設けるとともに、はめ込み凹部とはめ込み凸部との接触面に、回動片の回動位置を保つための位置保持用凹凸を設け、しかも、上記凹部および凸部の接触面を圧接させるためのバネ構造を備えた点に特徴を有する。
【０００９】
第４の発明は、調整脚部に対して着脱可能にした２種の位置決め手段を備え、一方の位置決め手段には上記接地面を設け、他方の位置決め手段にはその先端に尖端部を設け、これら両位置決め手段を取り替え可能にした点に特徴を有する。
【発明の効果】
【００１０】
第１〜３の発明によれば、脚Ｌの開脚度合いに応じて回動片の角度を調整しながら接地面を接地させることができる。この接地面には滑り止め部を設けているので、当該三脚を立てる箇所が堅い平坦面であっても、脚Ｌが滑ったりせず、それを安定的に立てておくことができる。また、それを立てる箇所に傷を付けたりするおそれもない。
【００１１】
特に、第３の発明によれば、位置決め手段は、その取り付け部に対して回動片の角度を自由に設定できるとともに、それを所期のところまで回動させたとき、その回動した角度を保つことができるので、脚Ｌの開度および長さに応じて、回動片を簡単に自由に回動しながら、その角度を保つことができる。したがって、回動片を所定の位置まで回動させるのに、特別な工具を用いたり、あるいはボルトを外したりする手間は一切かからない。
【００１２】
第４の発明によれば、２種類の位置決め手段を取り替えて使用することによって、三脚を立てる箇所に傷を付けてもかまわないところと、傷を付けてはならないところとに使い分けができる。
【発明を実施するための最良の形態】
【００１３】
レベル測定、カメラあるいはキャンパス等をのせるための基台１には、３本の脚Ｌを開脚あるいは閉脚可能に設けている。なお、上記基台１は、そこにのせる機器に応じていろいろな形態をとりうること当然で、この発明において、基台の形態が限定されるものではない。
【００１４】
上記脚Ｌは、基台１に対して回動可能にしたメイン脚部２と、このメイン脚部２の下端において、メイン脚部２に対して出入可能にした調整脚部３とを備えている。そして、メイン脚部２の下端には締め付けボルト４を設け、この締め付けボルト４を締め付けたりゆるめたりすることによって、メイン脚部２に対する調整脚部３の出入位置を調整できるようにしている。言い換えると、メイン脚部２に対する調整脚部３の出入位置を調整することによって、脚Ｌ全体の長さを調整できるようにしている。
【００１５】
上記のようにした調整脚部３は、長手方向に直交する方向の断面形状を四角形の筒状にしたもので、この四角形の一側面には２つのボルト通し穴を設け、このボルト通し穴に取り付けボルト５を通せるようにしている。
【００１６】
上記のようにした筒状の調整脚部３の下端開口には、位置決め手段Ｐを挿入するが、これらは、図２および図３に示すように２種類の位置決め手段Ｐ1，Ｐ2を備えている。そこで、最初に、位置決め手段Ｐ1について説明する。
【００１７】
上記一方の位置決め手段Ｐ1は、調整脚部３側に取り付ける取り付け部６と、この取り付け部６に回動可能に取り付ける回動片７とを備えている。そして、上記取り付け部６は、その断面形状を上記筒状の調整脚部３と同じように四角形にするとともに、その四角形の部分が調整脚部３の下端開口に挿入できるようにしている。また、この取り付け部６には、図４に示すように、前記取り付けボルト５を通すための２つのネジ穴８を形成している。
【００１８】
したがって、取り付け部６を調整脚部３に挿入するとともに、そのボルト通し穴と上記ネジ穴８とを一致させるとともに、上記ネジ穴８に取り付けボルト５を挿入して締め付ければ、位置決め手段Ｐ1を調整脚部３に固定することができる。また、上記取り付けボルト５を外せば、位置決め手段Ｐ1を調整脚部３から抜き取ることもできる。
【００１９】
上記のようにした取り付け部６の先端にははめ込み凸部９を設けているが、このはめ込み凸部９は、図４に示すように、その断面形状を円形にするとともに、その幅方向に軸通し穴１０を形成している。また、このはめ込み凸部９の幅は取り付け部６の幅よりも短くしている。
そして、このはめ込み凸部９の幅方向両端面には、円周方向に波状にした位置保持用凹凸１１を形成している。
【００２０】
一方、上記回動片７は、取り付け部６のはめ込み凸部９をはめ込むためのはめ込み凹部１２を形成している。このはめ込み凹部１２は、図５に示すように、その幅方向両側に形成した一対の狭持片１３，１３により構成されているが、これら一対の狭持片１３，１３には、軸通し穴１４の対向面には円周方向に波状にした位置保持用凹凸１５を形成している。
【００２１】
上記のようにした狭持片１３，１３の間隔内には、上記はめ込み凸部９がほんのわずかな間隔的なゆとりを持って組み込まれる。そして、はめ込み凸部９を狭持片１３，１３の間隔内に組み込んだら、それらの軸通し穴１０および１４を一致させるとともに、その一致した軸通し穴１０，１４に調整ボルト１６を挿入し、そのボルト先端を一方の狭持片１３からその外方に突出させる。さらに、上記調整ボルト１６の突出端には調整ナット１７をはめ、これらボルト１６およびナット１７で狭持片１３，１３をはめ込み凸部９側に押し付けることができるようにしている。
【００２２】
なお、上記狭持片１３，１３と、調整ボルト１６の頭部１６ａおよび調整ナット１７との間には、この発明のバネ構造に当たるスプリングワッシャー１８，１９を介在させている。したがって、調整ボルト１６をある程度締め付ければ、その締め付け力が狭持片１３，１３に弾性的に作用することになる。このように狭持片１３，１３をはめ込み凸部９に弾性的に押し付けておくことによって、狭持片１３，１３とはめ込み凸部９との両者に形成した位置保持用凹凸１１，１５がかみ合うが、この状態で、取り付け部６に対して回動片７を強制的に回動させると、両凹凸１１，１５がそのかみ合い位置をずらしながら移動し、その移動位置において、取り付け部６に対する回動片７の回転角を保持することになる。
【００２３】
上記のように取り付け部６に対して回動可能にした回動片７には、図５，６に示すように、接地面２０を設けるとともに、この接地面２０にはゴム等の摩擦係数が大きい材質からなる材料をコーティングして、滑り止め部２１としている。そして、この滑り止め部２１には波上面２１ａを設け、脚Ｌが開脚方向に滑るのを防止している。
なお、このゴム等からなる滑り止め部２１はクッションとしても機能するものである。
【００２４】
図３に示したもう一方の位置決め手段Ｐ2は、取り付け部６に金属製の先端部２２を固定している。そして、この取り付け部６は、位置決め手段Ｐ1と同様に、その断面形状を上記筒状の調整脚部３と同じように四角形にするとともに、その四角形の部分が調整脚部３の下端開口に挿入できるようにしている。また、この取り付け部６には、前記取り付けボルト５を通すための２つのネジ穴２３を形成している。
【００２５】
したがって、取り付け部６を調整脚部３に挿入するとともに、そのボルト通し穴と上記ネジ穴２３とを一致させるとともに、ネジ穴２３に前記取り付けボルト５を挿入して締め付ければ、位置決め手段Ｐ2を調整脚部３に固定することができる。また、上記取り付けボルト５を外せば、位置決め手段Ｐ2を調整脚部３から抜き取ることもできる。
【００２６】
次に、位置決め手段Ｐ1を使って、この発明の三脚を利用する場合について説明する。
先ず、当該三脚を立てる場所の傾斜や段差等に応じて、各脚Ｌの長さを決める。つまり、締め付けボルト４をゆるめて、メイン脚部２に対して調整脚部３の出入位置を決めて、その後に、再び締め付けボルト４を締めて、脚Ｌの長さを決める。
【００２７】
上記のように３本の各脚Ｌの長さが決まれば、その長さに応じて位置決め手段Ｐ1を調整する。すなわち、取り付け部６に対する回動片７の回動角度を調整するが、それは回動片の接地面２０すなわち滑り止め部２１が、三脚を立てる面にぴったりと接触する角度を保つように、回動片７の角度を調整する。ただし、回動片７の回動角度を調整するときには、その回動片７を強制的に回動しさえすれば、位置保持用凹凸１１，１５がそのかみ合い位置を移動するので、その回動位置において自動的に保持される。つまり、回動片７を所定の位置まで回動させるのに、特別な工具を用いたり、ボルトを外したりする等の手間は一切かからない。
【００２８】
上記のように位置決め手段Ｐ1の回動片７の回動角度を決めることによって、その滑り止め部２１が三脚を立てる面にぴったりと接触した状態で、当該三脚を立てることができる。このように滑り止め部２１が、三脚を立てる面にぴったりと接触することで、各脚Ｌが不用意に開脚したりしなくなるので、当該三脚を安定的に立てておくことができる。また、上記回動片７は、三脚を立てる面に対して面接触するので、その面を傷つけたりしない。
【００２９】
一方、三脚を立てる面に多少の傷が付いてもかまわない屋外などで当該三脚を使用するときには、次のようにする。すなわち、調整脚部３に一方の位置決め手段Ｐ1が予め取り付けられているときには、先ず、位置決め手段Ｐ1を調整脚部３から取り外す。すなわち、取り付けボルト５を取り外してから、位置決め手段Ｐ1を調整脚部３から抜き取る。
【００３０】
次に、他方の位置決め手段Ｐ2の取り付け部６を調整脚部３に挿入するとともに、そのボルト通し穴と上記ネジ穴２３とを一致させる。そして、ネジ穴２３に前記取り付けボルト５を挿入して締め付ければ、位置決め手段Ｐ2を調整脚部３に固定することができる。このようにして固定された位置決め手段Ｐ2は、その先端に設けた尖端部２２が地面などにしっかりと食い込んで、当該三脚を安定的に立てておくことができる。
【００３１】
いずれにしても、この実施形態によれば、接地面２０を有する位置決め手段Ｐ1と、金属製の尖端部２２を有する位置決め手段Ｐ2とを、必要に応じて取り替えることができるので、例えば、当該三脚を室内で使用するときにも、その室内の床面などを傷つけることがなくなる。また、傷を問題にしないような屋外等での使用に際しては、尖端部２２をしっかりと食い込ませて当該三脚を安定的に立てておくことができる。
【００３２】
さらに、当該三脚を立てる箇所が、堅く平坦な場合には、尖端部２２が食い込まないだけでなく、それが設置する面に対して滑ってしまう。特に、尖端部２２の先端がすり減って丸みを帯びているときなどは、尖端部が簡単に滑ってしまう。このように尖端部２２が滑れば、当該三脚を安定的に立てておくことができなくなる。しかし、この実施形態では、当該三脚を立てる場所に応じて、２種類の位置決め手段Ｐ1，Ｐ2を使い分けられるので、いずれの場所においても、当該三脚を安定的に立てておける。
【００３３】
なお、上記位置決め手段Ｐ2には、押し付けプレート２４を設け、この部分を足で押し付けることによって、尖端部２２を所期の箇所にしっかりと食い込ませることができるようにしている。
【産業上の利用可能性】
【００３４】
この発明は、特に、傷を付けてはいけない箇所、あるいは尖端部２２が食い込みにくい箇所等に、三脚を安定的に立てておくのに有効である。
【図面の簡単な説明】
【００３５】
【図１】全体の斜視図である。
【図２】一方の位置決め手段Ｐ1の正面図である。
【図３】他方の位置決め手段Ｐ2の正面図である。
【図４】一方の位置決め手段Ｐ1の取り付け部の斜視図である。
【図５】一方の位置決め手段Ｐ1の回動片の斜視図である。
【図６】一方の位置決め手段Ｐ1の回動片の側面図である。
【符号の説明】
【００３６】
１：基台
Ｌ：脚
２：メイン脚部
３：調整脚部
Ｐ1：一方の位置決め手段
Ｐ2：他方の位置決め手段
６：取り付け部
７：回動片
９：はめ込み凸部
１２：はめ込み凹部
１５：位置保持用凹凸
２０：接地面
２１：滑り止め部
２２：尖端部
【図１】
2005048898.tif 000003
【図２】
2005048898.tif 000004
【図３】
2005048898.tif 000005
【図４】
2005048898.tif 000006
【図５】
2005048898.tif 000007
【図６】
2005048898.tif 000008